(57)【特許請求の範囲】
【請求項１】
フェース面に複数本のスコアラインが形成されたゴルフクラブヘッドにおいて、
前記フェース面に形成され、前記スコアラインと平行な第１細溝と、
前記フェース面に形成され、前記第１細溝と交差する第２細溝と、を備え、
前記第２細溝は、前記スコアラインの縁から形成され、
前記第１細溝と前記第２細溝とは、深さが異なることを特徴とするゴルフクラブヘッド。
【請求項２】
隣接する前記スコアライン間に、前記第１細溝が前記スコアラインと直交する方向に配列されて複数形成され、
前記第２細溝が複数形成され、
隣接する前記スコアライン間に形成された各々の前記第１細溝は、少なくともいずれか１つの前記第２細溝と交差していることを特徴とする請求項１に記載のゴルフクラブヘッド。
【請求項３】
隣接する前記スコアライン間に、前記第１細溝が前記スコアラインと直交する方向に配列されて複数形成され、
前記第２細溝が複数形成され、
少なくともいずれか１つの前記第２細溝が、隣接する前記スコアライン間に形成された２以上の前記第１細溝と交差していることを特徴とする請求項１に記載のゴルフクラブヘッド。
【請求項４】
前記第１及び第２細溝が、切削加工又はレーザ加工により形成されたことを特徴とする請求項１に記載のゴルフクラブヘッド。
【請求項５】
前記第１細溝の縁が盛り上がっていることを特徴とする請求項１に記載のゴルフクラブヘッド。
【請求項６】
前記第１細溝と前記第２細溝との交差角度が、２０度以上９０度以下であることを特徴とする請求項１に記載のゴルフクラブヘッド。
【請求項７】
前記第１及び第２細溝の深さが、５μｍ以上２５μｍ以下であることを特徴とする請求項１に記載のゴルフクラブヘッド。
【発明の詳細な説明】
【技術分野】
【０００１】
本発明はゴルフクラブヘッドに関するものである。
【背景技術】
【０００２】
一般に、ゴルフクラブヘッドのフェース面にはトウ−ヒール方向に互いに平行な複数の直線状の溝が形成されている。この溝はスコアライン、マーキングライン、フェースライン等と呼ばれている（本書においてはスコアラインと称する。）。このスコアラインは、打球のバックスピン量を増大させたり、或いは、雨天時やラフからのショットの場合に、打球のバックスピン量が著しく低減することを抑制する効果がある。
【０００３】
しかし、スコアラインのみではバックスピン量の増大効果や雨天時等におけるバックスピン量の低減抑制効果に限界がある。そこで、スコアラインよりも細かい溝をフェース面に形成することが（例えば、特許文献１に記載）、打球のバックスピン量の低減の防止に有効である。
【先行技術文献】
【特許文献】
【０００４】
【特許文献１】特開２００７−２０２６３３号公報
【発明の概要】
【発明が解決しようとする課題】
【０００５】
しかし、スコアラインよりも細かい溝は、スコアラインと比べて細かいことから直ぐに水滴で満たされてしまう。このため、雨天時やラフからのショットの場合に、バックスピン量の低減抑制効果が十分に発揮されない場合がある。
【０００６】
本発明の目的は、スコアラインよりも細かい溝による、バックスピン量の低減抑制効果を向上することにある。
【課題を解決するための手段】
【０００７】
本発明によれば、フェース面に複数本のスコアラインが形成されたゴルフクラブヘッドにおいて、前記フェース面に形成され、前記スコアラインと平行な第１細溝と、前記フェース面に形成され、前記第１細溝と交差する第２細溝と、を備え、前記第２細溝は、前記スコアラインの縁から形成され、前記第１細溝と前記第２細溝とは、深さが異なることを特徴とするゴルフクラブヘッドが提供される。
【発明の効果】
【０００８】
本発明によれば、スコアラインよりも細かい溝による、バックスピン量の低減抑制効果を向上することができる。
【図面の簡単な説明】
【０００９】
【図１】本発明の一実施形態に係るゴルフクラブヘッド１の外観図及びフェース面１０の部分拡大図。
【図２】フェース面１０の部分断面斜視図。
【図３】（Ａ）はスコアライン２０の、その長手方向（トウ−ヒール方向）に直交する方向の断面図、（Ｂ）は細溝３０の、その長手方向に直交する方向の断面図、（Ｃ）は細溝３０の他の例の、その長手方向に直交する方向の断面図。
【図４】細溝３０乃至３２を形成する前の一次成形品１'を示す断面図。
【図５】ＮＣフライス盤による細溝３０の形成方法の説明図。
【図６】細溝３１の他の例を示すフェース面１０の部分断面斜視図。
【発明を実施するための形態】
【００１０】
＜第１実施形態＞
図１は本発明の一実施形態に係るゴルフクラブヘッド１の外観図及びフェース面１０の部分拡大図である。同図の例はアイアン型のゴルフクラブヘッドに本発明を適用した例を示す。本発明は、アイアン型のゴルフクラブヘッド、特に、ミドルアイアン、ショートアイアン、ウェッジ型のゴルフクラブヘッドに好適であり、具体的には、ロフト角が３０度以上７０度以下、ヘッド重量が２４０ｇ以上３２０ｇ以下のゴルフクラブヘッドに好適である。しかし、本発明はウッド型やユーティリティー型（ハイブリッド型）のゴルフクラブヘッドにも適用できる。
【００１１】
ゴルフクラブヘッド１は、そのフェース面（打撃面）１０に複数本のスコアライン２０が形成されている。各々のスコアライン２０はトウ−ヒール方向に延設された、互いに平行な直線状の溝である。また、フェース面１０には、複数本の細溝３０、３１、３２が形成されている。
【００１２】
細溝３０は、スコアライン２０よりも幅及び深さにおいて小さい溝であって、スコアライン２０と平行にトウ−ヒール方向に延設された直線状の溝である。ここで、細溝３０とスコアライン２０とが平行とは、製造上の誤差等の理由から、これらの無限延長線の交差角が、０度以上２０度以下の場合を含む。
【００１３】
本実施形態の場合、細溝３０はスコアライン２０の長手方向と直交するｄ１方向に配列されて、複数本形成されている。細溝３０の長さは、その細溝３０に最も近いスコアライン２０の長さ以上であることが好ましい。本実施形態の場合、各細溝３０は途中で途切れることの無い１本の溝であるが、細溝３０の一部又は全部が、部分的に途切れていてもよい。
【００１４】
細溝３１、３２は、スコアライン２０よりも幅及び深さにおいて小さい溝であって、細溝３０と交差する溝である。細溝３１及び３２は本実施形態の場合、直線状の溝である。
【００１５】
図２はフェース面１０の部分断面斜視図、図３（Ａ）はスコアライン２０の、その長手方向（トウ−ヒール方向）に直交する方向の断面図、図３（Ｂ）は細溝３０の、その長手方向に直交する方向の断面図である。まず、スコアライン２０について説明する。
【００１６】
本実施形態において、各スコアライン２０は等ピッチで形成されており、スコアライン２０の断面形状は、その長手方向の両端部を除き、同じである。また、各々のスコアライン２０の断面形状は同じである。更に、本実施形態の場合、スコアライン２０の断面形状は、その幅方向の中心線に対して対称である。本実施形態の場合、スコアライン２０の断面形状は台形状であるが、Ｖ字形状等、他の形状でもよい。
【００１７】
スコアライン２０は、一対の側壁２１及び底壁２２を有する。スコアライン２０の縁２３は側壁２１とフェース面１０との境界部分である。本実施形態では、この縁２３に丸みが形成されているが丸みを形成しない構成も採用可能である。
【００１８】
細溝３０はスコアライン２０と平行に形成されているため、打球のバックスピン量を向上させる。本実施形態の場合、細溝３０は、図３（Ｂ）に示すようにその断面形状が半円状となっているが、台形状、Ｖ字形状等、他の形状でもよい。細溝３０の幅Ｗは、細溝３０の幅Ｗは、例えば、３０μｍ以上６００μｍ以下であることが好ましい。細溝３０の深さＤは、浅すぎるとバックスピン量の向上が低く、深すぎるとボールに傷が付き易くなる。また、競技用ゴルフクラブヘッドでは、フェース面の表面粗さについて一定の制約があり、最大高さ（Ｒｙ）が２５μｍ以下である。したがって、ゴルフクラブヘッド１を競技用とする場合、深さＤは５μｍ以上２５μｍ以下であることが好ましい。
【００１９】
細溝３１及び３２は、細溝３０と交差しており、細溝３０内に溜まる水を排水する水路として機能する。よって、細溝３０に溜まった水は、細溝３１及び３２に排水されるか、或いは、細溝３１及び３２を介して、水が溜まっていない別の細溝３０に排水される。細溝３０に溜まる水が排水されることで、細溝３０による打球のバックスピン量向上の効果が維持される。このため、雨天時等において、バックスピン量の低減抑制効果が向上する。
【００２０】
細溝３０に溜まる水は、打撃時のボールからの圧力によって細溝３１及び３２へ流れ出て排水される。なお、打撃時以外にも水の自重で排水させる観点から、細溝３１及び３２は上下方向を向いている方が好ましい。ショット時には、細溝３０は水平方向に延びていることから、排水性の観点から細溝３１及び３２と、細溝３０との交差角度は９０度前後、例えば、７５度以上１０５度以下であることが好ましい。
【００２１】
一方、細溝３１及び３２には、排水路としての機能のほか、打球のバックスピン量を向上させる機能も発揮させることができる。細溝３１及び３２は、細溝３０と平行に近い方がバックスピン量が向上する。したがって、バックスピン量の観点から細溝３１及び３２と、細溝３０との交差角度は２０度前後、例えば、５度以上３５度以下であることが好ましい。
【００２２】
また、排水性、バックスピン量を総合すると、細溝３１及び３２と、細溝３０との交差角度は２０度以上９０度以下であることが好ましい。
【００２３】
本実施形態の場合、細溝３１と細溝３２とは長さが異なり、細溝３１は４本の細溝３０と交差し、細溝３２は２本の細溝３０と交差している。本実施形態では、このように細溝３０と交差する細溝として、長さが異なる細溝３１及び３２の２種類の細溝を形成したが、１種類の細溝であってもよく、逆に３種類以上であってもよい。いずれの場合においても、各々の細溝３０が、少なくとも１つの細溝と交差することが好ましい。また、本実施形態のように、１つの細溝３１、３２が複数の細溝３０と交差することで、細溝３０に溜まった水は、細溝３１又は３２を介して、水が溜まっていない別の細溝３０に排水することができ、排水効率を高められる。よって、細溝３０と交差する少なくとも１つの細溝が、複数の細溝３０と交差することが好ましい。
【００２４】
細溝３１及び３２の断面形状、幅、及び、深さは、細溝３０と同じとしても異なっていてもよい。特に、目的に応じて、細溝３１及び３２と、細溝３０とで、その深さを異ならせることができる。例えば、バックスピン量の増大を重視する場合は、細溝３０を細溝３１及び３２よりも深くしてボールの食い込みをよくする。また、晴天時と雨天時とで水滴に起因するバックスピン量の差を少なくすることを目的とする場合は、細溝３１及び３２を細溝３０よりも深くして排水性を高める。
【００２５】
本実施形態では、隣接するスコアライン２０間毎に、同じパターンで細溝３０乃至３２が形成されている。これは、打点の位置によってバックスピン量にばらつきが生じることを低減する効果がある。なお、競技用ゴルフクラブヘッドでは、フェース面の表面粗さについて一定の制約があり、最大高さ（Ｒｙ）が２５μｍ以下、算術平均粗さが４．５７μｍ以下である。よって、ゴルフクラブヘッド１を競技用とする場合は、このような表面粗さのルールを満たすように細溝３０乃至３２を設計する。
【００２６】
次に、スコアライン２０及び細溝３０乃至３２の形成方法について説明する。スコアライン２０は、例えば、鍛造、鋳造、切削加工、レーザ加工により形成することができる。細溝３０乃至３２は、例えば、切削加工、レーザー加工により形成することができる。なお、細溝３０と、これと交差する細溝３１及び３２とでは、異なる加工方法を採用してもよい。
【００２７】
ここでは、スコアライン２０を鍛造により形成し、細溝３０乃至３２をミーリング加工により形成する場合を図４及び図５を参照して説明する。図４は細溝３０を形成する前の一次成形品１'を示す断面図であり、図５はＮＣフライス盤による細溝３０乃至３２の形成方法の説明図である。
【００２８】
まず、図４に示すように、スコアライン２０が鍛造により形成されたゴルフクラブヘッド１の一次成形品１'を作成する。一次成形品１'においては、フェース面１０に相当する面１０'に細溝３０乃至３２が未加工である。
【００２９】
次に、細溝３０をミーリング加工により形成する。図５に示すように、細溝３０が未加工の一次成形品１'はＮＣフライス盤に治具２を介して固定される。なお、本実施形態の場合、フェース面１０がゴルフクラブヘッドに一体成形された場合について説明するが、フェース面１０を構成するフェース部材と、ヘッド本体とを別部材として接合してもよい。
【００３０】
ＮＣフライス盤は、Ｚ軸回りに回転駆動されるスピンドル４を有し、スピンドル４の下端には切削ツール（エンドミル）５が取り付けられている。切削ツール５の先端形状は細溝３０の断面形状に応じたものを使用する。
【００３１】
しかして、ＮＣフライス盤において、フェース面１０の平面座標を設定した後、スピンドル４を回転駆動し、フェース面１０（一次成形品１'）又は切削ツール５を細溝３０の形成方向に相対的に移動しながら、フェース面１０を切削する。一つの細溝３０を形成すると、切削ツール５をフェース面１０から離間させた後、細溝３０の配列方向に切削ツール５を相対的に移動し、次の細溝３０を形成することで、順次細溝３０が形成される。細溝３１及び３２も同様の方式で形成することができる。
【００３２】
フェース面１０に細溝３０乃至３２を形成すると、フェース面１０が磨耗し易くなる場合がある。そのため、細溝３０乃至３２の形成後、フェース面１０の硬度を硬くする表面処理を行うことが好ましい。このような表面処理としては、浸炭処理、窒化処理、軟窒化処理、ＰＶＤ（Physical Vapor Deposition）処理、イオンプレーティング、ＤＬＣ（ダイヤモンド  ライク  カーボン）処理、めっき処理等が挙げられる。特に、浸炭処理や窒化処理といった、表面に別の金属層を形成せず、表面を改質する表面処理が好ましい。
【００３３】
＜第２実施形態＞
細溝３０の縁を盛り上げることで、バックスピン量を更に向上できる。図３（Ｃ）は本実施形態における細溝３０の断面図である。細溝３０の縁は、隆起部３０ａが形成されて盛り上がっており、ボールとの食い込みがよくなってバックスピン量を更に向上できる。隆起部３０ａは、例えば、細溝３０をレーザー加工で形成する場合は、レーザ加工によって自然に形成できる。また、細溝３０を切削加工で形成する場合は、切削を粗めにすることで、バリとして形成できる。
【００３４】
＜第３実施形態＞
細溝３０と交差する細溝は、スコアライン２０の縁２３から形成されていてもよい。図６は細溝３１の他の例を示すフェース面１０の部分断面斜視図である。同図の例の場合、細溝３１がスコアライン２１の縁２３から形成されている。縁２３から細溝３１を形成することで、スコアライン２１と細溝３１とが連通する。このため、細溝３１内の水をスコアライン２１に排水することができ、細溝３０の排水性を更に向上できる。
【００３５】
＜他の実施形態＞
以上、本発明の複数の実施形態を説明したが、これらの実施形態は互いに組合せることが可能であることは言うまでもない。
【図１】
0005485780.tif 000002
【図２】
0005485780.tif 000003
【図３】
0005485780.tif 000004
【図４】
0005485780.tif 000005
【図５】
0005485780.tif 000006
【図６】
0005485780.tif 000007